(57)【特許請求の範囲】
【請求項１】
貯蔵室の前面を覆う縦方向に延びた扉本体部と前記扉本体部の一側面に沿って配されるハンドル部とを有した扉によって前記ハンドル部を把持して前記貯蔵室を開閉する冷蔵庫において、前記扉本体部の前面に配される操作部と、前記扉本体部に配されるとともに前記ハンドル部に沿って延びて上下に並設される一対の導光部材と、上方の前記導光部材の下端面及び下方の前記導光部材の上端面から成る入射面にそれぞれ対向して前記扉本体部に配されるとともに前記操作部に接続される光源とを備え、前記導光部材が前記操作部の操作に応じて発光する前記光源から出射された光を前記入射面から入射して導光し、前記入射面に隣接して長手方向に延びる出射面から出射して運転状態を報知することを特徴とする冷蔵庫。
【請求項２】
前記ハンドル部が背面側に手指を掛けるスペースを有して前記扉本体部の周面から突出するとともに前記出射面に対して傾斜して対向する反射面を前面に有し、前記導光部材の出射光を前記反射面によって前方に反射することを特徴とする請求項１に記載の冷蔵庫。
【請求項３】
前記導光部材が前記扉本体部の周面に凹設される溝部内に配され、前記扉本体部に取り付けられる前記ハンドル部が前記溝部の開口面上に延出して前記導光部材を係止することを特徴とする請求項２に記載の冷蔵庫。
【請求項４】
前記反射面の前方を覆う透明な保護カバーを備え、前記保護カバーを前記扉本体部と前記ハンドル部との間に挟持したことを特徴とする請求項３に記載の冷蔵庫。
【請求項５】
前記扉本体部が側面に設けた開口部を介して前記操作部が挿入される収納室と、前記開口部を塞ぐ操作部カバーと、側面に凹設して前記導光部材が配される第１溝部とを有し、前記操作部カバーに前記光源を取り付け、第１溝部を延長して前記導光部材を保持する第２溝部を前記操作部カバーに形成したことを特徴とする請求項１または請求項２に記載の冷蔵庫。
【発明の詳細な説明】
【技術分野】
【０００１】
本発明は、扉上で運転状態の報知光を点灯する冷蔵庫に関する。
【背景技術】
【０００２】
従来の冷蔵庫は特許文献１に開示されている。この冷蔵庫は貯蔵室を開閉する扉が貯蔵室の前面を覆う扉本体部と扉本体部の一端部に設けられるハンドル部とを有している。ハンドル部は扉本体部の側面から側方に突出して上下方向に延びて配され、背面側に手指を掛けるスペースが形成される。
【０００３】
ハンドル部の背面側のスペースの上部には複数組の操作スイッチ及び光源が上下方向に並設される。操作スイッチは押しボタンスイッチにより形成され、ハンドル部を貫通する押圧部材に対向配置される。光源はＬＥＤにより形成され、ハンドル部を貫通する拡散部材に対向配置される。
【０００４】
操作スイッチは所望の運転状態を指示し、押圧部材を介して操作スイッチを押圧すると、操作スイッチに対応する光源が発光する。光源から出射された光は拡散部材に入射して拡散透過し、扉の正面側に出射される。これにより、操作スイッチに対応した冷蔵庫の運転状態を扉の正面側に出射される報知光によって報知することができる。
【０００５】
また、特許文献１の他の実施形態では拡散部材が扉本体部上に配される。各光源から出射された光は扉本体部の前面に対して平行方向に拡散し、ハンドル部の側方から正面側に出射される。
【先行技術文献】
【特許文献】
【０００６】
【特許文献１】特許第３９４４５３０号公報（第３頁−第９頁、第１１図）
【発明の概要】
【発明が解決しようとする課題】
【０００７】
しかしながら、上記従来の冷蔵庫によると、光源の出射光が拡散部材を介して拡散されるが、隣接する光源からの光と干渉しない範囲で点灯領域が広げられる。このため、依然として報知光の点灯領域が狭く視認性が悪いため、冷蔵庫の利便性が悪い問題があった。また、ハンドル部が長期間の使用によって変形すると、拡散部材と光源との相対位置がずれて光量が減少するため報知光の視認性が更に低下する。
【０００８】
また、ハンドル部の背面側のスペースに操作スイッチ及び光源が配置されるため使用者が把持できる領域が狭くなり、冷蔵庫の利便性がより悪くなる問題もあった。
【０００９】
本発明は、利便性を向上できる冷蔵庫を提供することを目的とする。
【課題を解決するための手段】
【００１０】
上記目的を達成するために本発明は、貯蔵室の前面を覆う扉本体部と前記扉本体部の一周面の長手方向に沿って配されるハンドル部とを有した扉によって前記ハンドル部を把持して前記貯蔵室を開閉する冷蔵庫において、前記扉本体部に配されるとともに前記ハンドル部に沿って延びる導光部材と、前記導光部材の長手方向の一端面から成る入射面に対向して前記扉本体部に配される光源とを備え、前記導光部材が前記光源から出射された光を前記入射面から入射して導光し、前記入射面に隣接して長手方向に延びる出射面から出射して運転状態を報知することを特徴としている。
【００１１】
この構成によると、扉本体部の一周面の長手方向に沿ってハンドル部が設けられ、ハンドル部を把持して扉が開閉される。ハンドル部を扉本体部の側面の長手方向に沿って上下方向に延びて形成してもよく、扉本体部の上下面の長手方向に沿って左右方向に延びて形成してもよい。導光部材はハンドル部に沿って扉本体部に配される。光源は冷蔵庫の運転状態に応じて発光し、光源から出射された光が例えば上下方向に延びる導光部材の下端の入射面から導光部材に入射する。導光部材に入射した光は上方に導光して長手方向に延びる出射面から出射される。これにより、運転状態に応じた報知光の点灯領域がハンドル部に沿う広い範囲に形成される。
【００１２】
また本発明は、上記構成の冷蔵庫において、前記ハンドル部が背面側に手指を掛けるスペースを有して前記扉本体部の周面から突出するとともに前記出射面に対して傾斜して対向する反射面を前面に有し、前記導光部材の出射光を前記反射面によって前方に反射することを特徴としている。
【００１３】
この構成によると、扉本体部の周面に突出してハンドル部が設けられ、ハンドル部の背面側のスペースに配した手指をハンドル部に掛けて扉が開閉される。光源から導光部材に入射した光は導光して側方に面した出射面から出射され、ハンドル部に形成される傾斜した反射面で前方に反射する。
【００１４】
また本発明は、上記構成の冷蔵庫において、前記導光部材が前記扉本体部の周面に凹設される溝部内に配され、前記扉本体部に取り付けられる前記ハンドル部が前記溝部の開口面上に延出して前記導光部材を係止することを特徴としている。この構成によると、扉本体部の周面に凹設した溝部に導光部材が挿入される。扉本体部にハンドル部が取り付けられると、導光部材が扉本体部とハンドル部との間に挟まれて脱落を防止される。
【００１５】
また本発明は、上記構成の冷蔵庫において、前記反射面の前方を覆う透明な保護カバーを備え、前記保護カバーを前記扉本体部と前記ハンドル部との間に挟持したことを特徴としている。この構成によると、導光板の出射面から出射される光はハンドル部の反射面で反射し、保護カバーを透過する。
【００１６】
また本発明は、上記構成の冷蔵庫において、前記扉本体部の前面に操作部を設けるとともに前記光源を前記操作部と同じ高さに配置し、前記操作部の操作に応じて前記光源が発光することを特徴としている。この構成によると、操作部によって冷蔵庫の運転状態が指示され、操作部の近傍に配される光源が発光して報知光が点灯する。
【００１７】
また本発明は、上記構成の冷蔵庫において、前記導光部材が前記出射面の対向面に凹設して長手方向に並設される複数のプリズム部を有することを特徴としている。この構成によると、導光部材を導光する光が長手方向に並設される各プリズム部で反射し、出射面に臨界角よりも小さい入射角で入射する光が出射される。
【００１８】
また本発明は、上記構成の冷蔵庫において、前記光源が多色ＬＥＤにより形成され、運転状態に応じて前記光源の発光色を可変したことを特徴としている。この構成によると、多色ＬＥＤにより形成された光源が運転状態に応じて異なる色で発光する。
【発明の効果】
【００１９】
本発明によると、ハンドル部に沿って延びる導光部材を扉本体部に配し、光源に対向する入射面を長手方向の一端に設けて長手方向に延びる出射面から報知光を出射する。このため、ハンドル部に沿う広い範囲を運転状態の報知光の点灯領域とすることができ、報知光の視認性を向上することができる。また、導光部材及び光源が扉本体部に配されるため、長期使用によりハンドル部が変形しても光量の減少を防止して視認性の低下を防止できるとともに、ハンドル部の長手方向の全体を把持することができる。従って、冷蔵庫の利便性を向上することができる。
【図面の簡単な説明】
【００２０】
【図１】本発明の第１実施形態の冷蔵庫を示す正面図
【図２】本発明の第１実施形態の冷蔵庫の扉を示す正面図
【図３】図２のＡ−Ａ断面図
【図４】図２のＢ−Ｂ断面図
【図５】本発明の第１実施形態の冷蔵庫の操作部カバーを示す正面断面図
【図６】本発明の第１実施形態の冷蔵庫の点灯装置の配置を示す正面図
【図７】本発明の第２実施形態の冷蔵庫の点灯装置の配置を示す正面図
【図８】本発明の第３実施形態の冷蔵庫の点灯装置の配置を示す正面図
【図９】本発明の第４実施形態の冷蔵庫の点灯装置の配置を示す正面図
【図１０】本発明の第５実施形態の冷蔵庫の点灯装置の配置を示す正面図
【発明を実施するための形態】
【００２１】
以下に本発明の実施形態を図面を参照して説明する。図１は第１実施形態の冷蔵庫を示す正面図である。冷蔵庫１は断熱箱体により形成される本体部（不図示）の上部に冷蔵室３が配され、下部に冷凍室４が配される。冷蔵室３の前面は断熱箱体の左右端でそれぞれ枢支される観音開きの扉５、６によって開閉される。冷凍室４の前面は断熱箱体の左右端でそれぞれ枢支される観音開きの扉７、８によって開閉される。
【００２２】
冷蔵室３の左側の扉５と冷凍室４の左側の扉７とは同様の断面形状に形成され、冷蔵室３の右側の扉６と冷凍室４の右側の扉８とは同様の断面形状に形成される。また、扉５には前面から操作できる操作部３１が配され、後述するように報知光を点灯する点灯装置４０（図６参照）が設けられる。
【００２３】
図２は扉５の詳細を示す正面図であり、図３は図２のＡ−Ａ断面図を示している。扉５は冷蔵室３の前面を覆う扉本体部１０と、扉本体部１０の右側面から側方に突出するハンドル部２０とを備えている。扉本体部１０の背面は樹脂成形品の背面カバー（不図示）により覆われ、前面はガラス板１１により覆われる。扉本体部１０の両側面はそれぞれ樹脂成形品の側面カバー１２で覆われ、上下面には樹脂成形品のキャップ（不図示）が被嵌される。そして、扉本体部１０の内部に発泡断熱材１３が充填される。
【００２４】
扉本体部１０の右端部の側面カバー１２には前面を凹欠した段差部１４が形成される。段差部１４の側方に面した取付面１４ａには右方に突出するハンドル部２０がネジ２１により取り付けられる。この時、段差部１４によってハンドル部２０の後方には手指を挿入するスペースが形成される。ハンドル部２０はアルミニウム等の金属の押し出し成形によって一方向に延びて形成され、扉本体部１０の側面の長手方向（上下方向）に沿って扉５の上下端にわたって配される。
【００２５】
段差部１４の前方に面した露出面１４ｂはハンドル部２０よりも側方に延びて正面から視認可能に露出する。これにより、ハンドル部２０の右側方から差し入れた手指がハンドル部２０の背面に掛けられ、扉５を開くことができる。尚、冷蔵室３の右側の扉６は左側面にハンドル部（不図示）が設けられ、扉５のハンドル部２０の右側方から差し入れた手指を扉６のハンドル部に掛けて開かれる。
【００２６】
また、取付面１４ａには上下方向に延びる溝部１４ｃが凹設される。溝部１４ｃには詳細を後述する導光部材４３が配される。
【００２７】
図４は図２のＢ−Ｂ断面図であり、操作部３１上を通る断面を示している。図２、図４において、扉５の上下方向の中央部にはガラス板１１の背面側に操作部３１の収納室３０が形成される。段差部１４の取付面１４ａに設けた開口部（不図示）を介して操作部３１が収納室３０内に挿入される。
【００２８】
収納室３０にはリード線が接続されたコネクタ（不図示）が配される。コネクタには操作部３１の挿入によって回路基板３２に設けた端子部（不図示）が接続される。リード線は本体部（不図示）内に設けられる電装部から導出され、扉５の枢支軸を形成するシャフト（不図示）に挿通して扉５内に引き出される。
【００２９】
操作部３１は回路部品を実装する回路基板３２にタッチパネル３３を接続して形成され、冷蔵庫１の設定操作を行うとともに運転状態を表示する。例えば、タッチパネル３３の操作によって、冷蔵室３の室内温度等が設定される。タッチパネル３３の表示によって、一時停電の発生、扉５〜８の開放状態、冷蔵室３や冷凍室４の異常高温等の運転状態を報知する。
【００３０】
また、冷蔵室３にはイオン発生装置（不図示）が設けられ、タッチパネル３３によりイオン発生装置を駆動するとともに駆動状態が表示される。イオン発生装置の駆動によって冷蔵室３内にイオンを送出し、冷蔵室３内の除菌及び消臭を行うことができる。
【００３１】
取付面１４ａに設けた操作部３１を挿入する開口部は操作部カバー３６により塞がれる。図５は操作部カバー３６の正面断面図を示している。操作部カバー３６は樹脂成形品により形成され、上下端に設けたネジ孔３６ｃに挿通されるネジ（不図示）によって取付面１４ａ（図３参照）にネジ止めされる。
【００３２】
操作部カバー３６の収納室３０側の面には係合部３６ａ及び基板設置部３６ｂが突出して設けられる。係合部３６ａは収納室３０の壁面に係合して操作部カバー３６を仮止めする。基板設置部３６ｂは取付面１４ａの開口部を介して収納室３０内に配され、上下に並設される２つの回路基板４１が設置される。回路基板４１はリード線（不図示）を介して回路基板３２（図４参照）に接続される。
【００３３】
上方の回路基板４１の上面及び下方の回路基板４１の下面にはそれぞれ光源４２が実装される。これにより、光源４２は操作部３１と同じ高さに配される。光源４２はＲＧＢの各ＬＥＤチップを一体化した三色ＬＥＤにより形成される。これにより、操作部３１の操作や冷蔵庫１の運転状態に応じて光源４２の発光色が可変される。
【００３４】
例えば、光源４２はイオン発生装置が駆動状態の時に青色に発光し、一時停電が発生して電源復帰した後に緑色に発光する。また、光源４２は冷蔵室３または冷凍室４の異常高温時に赤色に発光し、扉３〜８が開放状態の時に白色に発光する。光源４２を二色ＬＥＤとしてもよく、多色ＬＥＤであればよい。
【００３５】
また、操作部カバー３６には溝部１４ｃ（図３参照）を延長して導光部材４３が配される溝部３６ｄ（図５において不図示）が設けられる。光源４２及び導光部材４３によって報知光を点灯する点灯装置４０が構成される。
【００３６】
図６は点灯装置４０の配置を示す正面図である。導光部材４３は２つ設けられ、透明な樹脂により扉５の側面の長手方向（上下方向）に延びる棒状に形成される。各導光部材４３は上方の光源４２の上方及び下方の光源４２の下方にそれぞれ配される。これにより、導光部材４３はハンドル部２０に沿って扉５の上下端にわたって配される。
【００３７】
導光部材４３は長手方向の一端面が光源４２に対向する入射面４３ａを形成し、入射面４３ａに隣接して長手方向に延びる出射面４３ｂが右側方に面して配される。光源４２から出射された光は矢印Ａ１に示すように入射面４３ａから導光部材４３に入射して導光される。そして、導光部材４３を導光して臨界角よりも小さい入射角で出射面４３ｂに到達した光が矢印Ａ２に示すように出射面４３ｂから出射される。
【００３８】
導光部材４３の出射面４３ｂの対向面４３ｃに長手方向に並設される複数のプリズム部を凹設してもよい。これにより、導光部材４３の導光を出射面４３ｂから容易に出射させることができる。この時、光源４２から離れるに従ってプリズム部の深さを大きくするとより望ましい。これにより、光源４２から離れた位置の出射光の光量低下を抑制し、光量を均一にすることができる。
【００３９】
図３、図４において、導光部材４３は長手方向に垂直な断面形状が矩形に形成され、溝部１４ｃ、３６ｄに嵌入される。取付面１４ａに取り付けられるハンドル部２０は溝部１４ｃ、３６ｄの開口面上に延出される。これにより、溝部１４ｃ、３６ｄに嵌入された導光部材４３がハンドル部２０により係止され、溝部１４ｃ、３６ｄの底面とハンドル部２０の間に挟まれて保持される。このため、導光部材４３を固定するための係合爪等を設ける必要がなく、係合爪等での拡散や反射によって出射光が不均一になることを防止できる。
【００４０】
ハンドル部２０の前面には導光部材４３の出射面４３ｂに対して傾斜して対向する反射面２０ａが設けられる。ハンドル部２０の反射面２０ａを含む前面はハンドル部２０の先端と取付面１４ａとの間に挟持される保護カバー２２で覆われる。保護カバー２２は透明な樹脂成形品により形成される。保護カバー２２によって手指の接触による導光部材４３の汚れや収納室３０内への浸水を防止することができる。
【００４１】
出射面４３ｂの出射光は矢印Ａ３に示すように反射面２０ａで前方に反射し、保護カバー２２を透過する。これにより、使用者が把持する際に目が届きやすいハンドル部２０に沿った広い範囲が運転状態の報知光の点灯領域となる。従って、ハンドル部２０を把持する際や、冷蔵庫１から離れた状態で報知光を容易に視認することができ、報知光の視認性を向上することができる。
【００４２】
本実施形態によると、ハンドル部２０に沿って延びる導光部材４３を扉本体部１０に配し、光源４２に対向する入射面４３ａを長手方向の一端に設けて長手方向に延びる出射面４３ｂから報知光を出射する。このため、ハンドル部２０に沿う広い範囲を運転状態の報知光の点灯領域とすることができ、報知光の視認性を向上することができる。従って、冷蔵庫１の利便性を向上することができる。
【００４３】
また、導光部材４３及び光源４２が扉本体部１０に配されるため、長期使用によりハンドル部２０が変形しても導光部材４３と光源４２との位置ずれが発生しない。これにより、報知光の光量減少を防止して視認性の低下を防止できる。加えて、長期使用によりハンドル部２０が脱落しても電気部品である光源４２や配線が露出しないため、冷蔵庫１の安全性を向上することができる。
【００４４】
また、導光部材４３及び光源４２が扉本体部１０に配されるためハンドル部２０の長手方向の全体を把持することができ、冷蔵庫１の利便性をより向上することができる。
【００４５】
また、ハンドル部２０の背面側に手指を掛けるスペースが形成され、側方に面した出射面４３ｂに対向する反射面２０ａが前面に設けられる。このため、導光部材４３が正面に露出せず、冷蔵庫１の美観を向上することができる。加えて、光源４２の近傍に手指が配されないため、冷蔵庫１の安全性をより向上することができる。更に、反射面２０ａを所望の傾斜角度に形成して容易に所望の反射方向に設計変更することができる。
【００４６】
尚、導光部材４３の出射面４３ｂを扉５の正面に向けて配置してもよい。これにより、導光部材４３が正面に露出するが、ハンドル部２０に沿って報知光を点灯することができる。
【００４７】
また、扉本体部１０の周面の取付面１４ａに凹設した溝部１４ｃ、３６ｄ内に導光部材４３が配され、溝部１４ｃ、３６ｄの開口面上に延出するハンドル部２０により導光部材４３が係止される。これにより、導光部材４３の脱落を容易に防止できるとともに、係合爪等によって導光部材４３の出射光が不均一になることを防止できる。
【００４８】
また、反射面２０ａの前方を覆う保護カバー２２を扉本体部１０とハンドル部２０との間に挟持したので、保護カバー２２に係合爪等を設ける必要がなく冷蔵庫１の美観を向上することができる。
【００４９】
また、扉本体部１０の前面に設けた操作部３１と同じ高さに配置される光源４２が操作部３１の操作に応じて発光する。これにより、操作部３１と光源４２との間の配線を短縮できるとともに、導光部材４３によって操作部３１から離れた位置で報知光を点灯することができる。従って、操作部３１の配置の自由度を高くすることができる。
【００５０】
また、導光部材４３の出射面４３ｂの対向面４３ｃに凹設して長手方向に並設される複数のプリズム部を設けると、導光部材４３の導光を出射面４３ｂから容易に出射させることができる。
【００５１】
また、光源４２が多色ＬＥＤにより形成され、運転状態に応じて光源４２の発光色を可変するので、光源４２の数量を少なくして冷蔵庫１のコストを削減することができる。
【００５２】
次に、図７は第２実施形態の冷蔵庫１の点灯装置４０の配置を示す正面図である。説明の便宜上、前述の図１〜図６に示す第１実施形態と同様の部分には同一の符号を付している。本実施形態は点灯装置４０の導光部材４３の形状及び光源４２の配置が第１実施形態と異なっている。その他の部分は第１実施形態と同様である。
【００５３】
導光部材４３は一端を操作部３１の方向に屈曲した屈曲部４３ｄを有し、屈曲部４３ｄの端面によって入射面４３ａが形成される。２個の光源４２は同一基板上に上下に並設され、上方の導光部材４３の入射面４３ａ及び下方の導光部材４３の入射面４３ａにそれぞれ対向配置される。これにより、上下の導光部材４３間の隙間を小さくし、上下の導光部材４３を接近して配置することができる。
【００５４】
尚、１個の光源４２を上方の導光部材４３の入射面４３ａと下方の導光部材４３の入射面４３ａとの間に面して配置してもよい。これにより、部品点数を削減することができる。
【００５５】
屈曲部４３ｄはハンドル２０（図４参照）側の外面を曲面の傾斜面４３ｅにより形成される。これにより、矢印Ａ１に示すように入射面４３ａから入射した光の一部を傾斜面４３ｅで反射して上下方向に導光させることができる。また、一部の光は傾斜面４３ｅから出射される。この時、傾斜面４３ｅにローレット加工等によって粗面化処理を施してもよい。これにより、傾斜面４３ｅから出射される光を拡散し、発光ムラを低減することができる。
【００５６】
本実施形態によると、第１実施形態と同様の効果を得ることができる。加えて、導光部材４３の一端に設けた屈曲部４３ｄの端面により入射面４３ａが形成される。これにより、上下の導光部材４３間の隙間を小さくすることができ、該隙間による報知光の暗部を低減することができる。
【００５７】
次に、図８は第３実施形態の冷蔵庫１の点灯装置４０の配置を示す正面図である。説明の便宜上、前述の図７に示す第２実施形態と同様の部分には同一の符号を付している。本実施形態は屈曲部４３ｄの外面の傾斜面４３ｅが平面により形成される。その他の部分は第２実施形態と同様である。
【００５８】
本実施形態によると、第２実施形態と同様の効果を得ることができる。尚、上記と同様に、１個の光源４２を上方の導光部材４３の入射面４３ａと下方の導光部材４３の入射面４３ａとの間に面して配置してもよい。また、傾斜面４３ｅにローレット加工等によって粗面化処理を施してもよい。
【００５９】
次に、図９は第４実施形態の冷蔵庫１の点灯装置４０の配置を示す正面図である。説明の便宜上、前述の図１〜図６に示す第１実施形態と同様の部分には同一の符号を付している。本実施形態は点灯装置４０の導光部材４３の形状及び光源４２の配置が第１実施形態と異なっている。その他の部分は第１実施形態と同様である。
【００６０】
導光部材４３の入射面４３ａは導光部材４３の長手方向の一端面を収納室３０（図２参照）の内部に面して傾斜した傾斜面により形成される。光源４２は入射面４３ａに対向配置される。これにより、上下の導光部材４３間の隙間を小さくし、上下の導光部材４３を接近して配置することができる。
【００６１】
矢印Ａ１に示すように入射面４３ａから入射した光は導光部材４３を上下方向に導光し、一部の光は入射面４３ａの近傍から出射される。このため、上下の導光部材４３間の隙間による報知光の暗部を低減することができる。
【００６２】
尚、１個の光源４２を上方の導光部材４３の入射面４３ａと下方の導光部材４３の入射面４３ａとの間に配置してもよい。これにより、部品点数を削減することができる。
【００６３】
本実施形態によると、第１実施形態と同様の効果を得ることができる。加えて、入射面４３ａを傾斜面により形成したので、上下の導光部材４３間の隙間による報知光の暗部を低減することができる。
【００６４】
次に、図１０は第５実施形態の冷蔵庫１の点灯装置４０の配置を示す正面図である。説明の便宜上、前述の図１〜図６に示す第１実施形態と同様の部分には同一の符号を付している。本実施形態は点灯装置４０の導光部材４３の形状及び光源４２の配置が第１実施形態と異なっている。その他の部分は第１実施形態と同様である。
【００６５】
導光部材４３の入射面４３ａは導光部材４３の長手方向の一端面をハンドル２０（図４参照）に面して傾斜した傾斜面により形成される。光源４２は入射面４３ａに対向配置される。
【００６６】
光源４２の出射光は矢印Ａ１に示すように入射面４３ａから入射し、導光部材４３を上下方向に導光する。また、光源４２の出射光の一部は入射面４３ａでハンドル２０（図４参照）の方向に反射する。このため、上下の導光部材４３間からも点灯装置４０による報知光が出射され、上下の導光部材４３間の隙間による報知光の暗部を低減することができる。
【００６７】
尚、１個の光源４２を上方の導光部材４３の入射面４３ａと下方の導光部材４３の入射面４３ａとの間に配置してもよい。これにより、部品点数を削減することができる。
【００６８】
本実施形態によると、第１実施形態と同様の効果を得ることができる。加えて、入射面４３ａを傾斜面により形成したので、上下の導光部材４３間の隙間による報知光の暗部を低減することができる。
【００６９】
第１〜第５実施形態において、ハンドル部２０が上下方向に延びて設けられるが、左右方向に延びてもよい。即ち、ハンドル部２０を扉本体部１０の周面である下面や上面の長手方向（左右方向）に延びて配し、導光部材４３をハンドル部２０に沿って延びるように配してもよい。
【００７０】
また、ハンドル部２０が扉本体部１０の周面である側面から突出するが、扉本体部１０の前面から突出して周面の長手方向に沿って配されていてもよい。
【産業上の利用可能性】
【００７１】
本発明によると、扉上で運転状態の報知光を点灯する冷蔵庫に利用することができる。
【符号の説明】
【００７２】
１    冷蔵庫
３    冷蔵室
４    冷凍室
５、６、７、８  扉
１０    扉本体部
１１    ガラス板
１２    側面カバー
１４    段差部
１４ａ  取付面
１４ｂ  露出面
１４ｃ、３６ｄ  溝部
２０    ハンドル部
２０ａ  反射面
２２    保護カバー
３０    収納室
３１    操作部
３２、４１  回路基板
３３    タッチパネル
３６    操作部カバー
４０    点灯装置
４２    光源
４３    導光部材
４３ａ  入射面
４３ｂ  出射面
４３ｃ  対向面
４３ｄ  屈曲部
４３ｅ  傾斜面
【図１】
0005908748.tif 000002
【図２】
0005908748.tif 000003
【図３】
0005908748.tif 000004
【図４】
0005908748.tif 000005
【図５】
0005908748.tif 000006
【図６】
0005908748.tif 000007
【図７】
0005908748.tif 000008
【図８】
0005908748.tif 000009
【図９】
0005908748.tif 000010
【図１０】
0005908748.tif 000011